(57)【要約】【課題】所望の光学特性を実現し、かつ、汎用性の高い照明装置を提供する。【解決手段】照明装置１は、光源モジュール１０と、光源モジュール１０から発せられた光を導光する導光部材２０と、光を導光部材２０から出射させるための、導光部材２０に設けられた光取り出し構造３０とを備える。導光部材２０は、可撓性及び透光性を有する基材２１と、基材２１内に均一に分散された可視光吸収剤２２とを含む。可視光吸収剤２２の極大吸収波長は、５００ｎｍ以上７５０ｎｍ以下である。【選択図】図１
2020140829.tif 000002
【特許請求の範囲】
【請求項１】
光源と、
前記光源から発せられた光を導光する導光部材と、
前記光を前記導光部材から出射させるための、前記導光部材に設けられた光取り出し構造とを備え、
前記導光部材は、
可撓性及び透光性を有する樹脂基材と、
前記樹脂基材内に均一に分散された可視光吸収剤とを含み、
前記可視光吸収剤の極大吸収波長は、５００ｎｍ以上７５０ｎｍ以下である
照明装置。
【請求項２】
前記樹脂基材には、さらに、紫外光吸収剤が均一に分散されている
請求項１に記載の照明装置。
【請求項３】
前記紫外光吸収剤の極大吸収波長は、２６０ｎｍ以上３８０ｎｍ以下である
請求項２に記載の照明装置。
【請求項４】
前記光取り出し構造は、前記樹脂基材の一面に設けられた複数のプリズムである
請求項１〜３のいずれか１項に記載の照明装置。
【発明の詳細な説明】
【技術分野】
【０００１】
本発明は、照明装置に関する。
【背景技術】
【０００２】
従来、導光板の端面から光を入射させて、導光板の所望の部分から光を取り出すエッジライト方式の照明器具が知られている（例えば、特許文献１及び２を参照）。
【先行技術文献】
【特許文献】
【０００３】
【特許文献１】特開平６−３１２６００号公報
【特許文献２】特開２０１２−６４４４１号公報
【発明の概要】
【発明が解決しようとする課題】
【０００４】
しかしながら、上記従来の照明器具では、導光板を光が導光される際に、導光板によって特定の波長成分の光が吸収されて色調が変化するという問題がある。例えば、白色光が導光板を導光された場合には、光が黄色みを帯びて所望の光学特性が得られない。また、近年、照明器具には、設置箇所及び発光面の形状などに制限されず、広範な用途に利用されることが求められている。
【０００５】
そこで、本発明は、所望の光学特性を実現し、かつ、汎用性の高い照明装置を提供することを目的とする。
【課題を解決するための手段】
【０００６】
上記目的を達成するため、本発明の一態様に係る照明装置は、光源と、前記光源から発せられた光を導光する導光部材と、前記光を前記導光部材から出射させるための、前記導光部材に設けられた光取り出し構造とを備え、前記導光部材は、可撓性及び透光性を有する樹脂基材と、前記樹脂基材内に均一に分散された可視光吸収剤とを含み、前記可視光吸収剤の極大吸収波長は、５００ｎｍ以上７５０ｎｍ以下である。
【発明の効果】
【０００７】
本発明によれば、所望の光学特性を実現し、かつ、汎用性の高い照明装置を提供することができる。
【図面の簡単な説明】
【０００８】
【図１】図１は、実施の形態に係る照明装置の概略構成を示す断面図である。
【図２】図２は、実施の形態に係る照明装置の可撓性を模式的に示す斜視図である。
【図３】図３は、実施の形態に係る照明装置の導光部材の基材に分散された可視光吸収剤の吸収スペクトルを示す図である。
【図４】図４は、実施の形態の変形例に係る照明装置の概略構成を示す断面図である。
【発明を実施するための形態】
【０００９】
以下では、本発明の実施の形態に係る照明装置について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
また、本明細書において、均一などの要素間の関係性を示す用語、及び、円柱又は角柱などの要素の形状を示す用語、並びに、数値範囲は、厳格な意味のみを表す表現ではなく、実質的に同等な範囲、例えば数％程度の差異をも含むことを意味する表現である。
【００１２】
（実施の形態）
［構成］
まず、実施の形態に係る照明装置の構成について、図１及び図２を用いて説明する。
【００１３】
図１は、本実施の形態に係る照明装置１の概略構成を示す断面図である。図１に示されるように、照明装置１は、光源モジュール１０と、導光部材２０と、光取り出し構造３０と、反射部材４０とを備える。なお、照明装置１は、光源モジュール１０と導光部材２０とを所定の位置関係で支持する支持部材を備えてもよい。
【００１４】
図１では、光源モジュール１０の発光素子１２が発する光の経路を、模式的に複数の矢印で表している。具体的には、光の経路は、発光素子１２を起点として延びる矢印、導光部材２０の内部に描かれた矢印、及び、導光部材２０の第１主面２１ｂから導光部材２０の外側に向かって延びる矢印によって模式的に表されている。なお、当該光の経路を分かりやすくするため、導光部材２０の基材２１には断面を表す網掛けを付していない。これらは、後述する図４においても同様である。
【００１５】
図２は、本実施の形態に係る照明装置１の可撓性を模式的に示す斜視図である。図２に示されるように、導光部材２０の基材２１が可撓性を有することで、照明装置１を容易に曲げることができる。例えば、図２の（ａ）は、基材２１を曲げる前の状態を示しており、図２の（ｂ）は、基材２１を曲げた後の状態を示している。なお、図２では、光取り出し構造３０及び反射部材４０の図示を省略している。
【００１６】
光源モジュール１０は、光源の一例であり、図１に示されるように、基板１１と、発光素子１２とを備える。光源モジュール１０は、導光部材２０の基材２１の端面２１ａに向けて光を出射する。
【００１７】
基板１１は、発光素子１２の実装基板である。基板１１は、例えばガラスエポキシ基板であるが、これに限らない。基板１１は、セラミック基板、樹脂基板又はメタルベース基板などでもよい。基板１１は、リジッド基板でもよく、フレキシブル基板でもよい。
【００１８】
基板１１は、基材２１の端面２１ａに対向して平行な姿勢で配置されている。基板１１は、端面２１ａの形状に応じた形状を有する。一例として、端面２１ａが所定方向に延びる長尺形状を有する場合、基板１１は、端面２１ａが延びる方向に長尺な形状を有する。複数の発光素子１２は、基板１１が延びる方向に沿って一列又は複数列に並んで配置されている。
【００１９】
複数の発光素子１２の各々は、白色光を発する表面実装（Surface Mount Device：ＳＭＤ）型のＬＥＤ（Light Emitting Diode）素子である。ＳＭＤ型のＬＥＤ素子とは、樹脂成型されたキャビティの中にＬＥＤチップが実装され、かつ、当該キャビティ内に蛍光体含有樹脂が封入されたパッケージ型のＬＥＤ素子である。ＬＥＤチップは、例えば青色光を発する青色ＬＥＤチップである。蛍光体含有樹脂には、青色光を受けて黄色光を発する蛍光体が含まれている。ＬＥＤチップが発する青色光と、蛍光体が発する黄色光とが合成されることで、複数の発光素子１２の各々は白色光を発する。
【００２０】
なお、光源モジュール１０は、基板１１にＬＥＤチップが直接実装された、いわゆるＣＯＢ（Chip On Board）型のＬＥＤモジュールであってもよい。この場合、ＬＥＤチップが発光素子１２の一例であり、蛍光体含有樹脂がＬＥＤチップを覆うように基板１１上に設けられている。
【００２１】
また、光源モジュール１０は、ＬＥＤ素子の代わりに、有機ＥＬ（Electroluminescence）素子、又は、半導体レーザ素子などを発光素子１２として備えてもよい。光源モジュール１０が備える発光素子１２の個数は、１つのみであってもよい。例えば、基材２１の端面２１ａが正方形又は円形である場合に、基板１１の形状が正方形又は円形であってもよい。この場合に、光源モジュール１０は、基板１１の中央に実装された１つのみの発光素子１２を備えてもよい。あるいは、光源モジュール１０は、基板１１及び発光素子１２を備えなくてもよく、蛍光灯などの放電ランプであってもよい。
【００２２】
導光部材２０は、光源モジュール１０から発せられた光を導光する。図１に示されるように、導光部材２０は、基材２１と、基材２１内に均一に分散された可視光吸収剤２２とを含む。
【００２３】
基材２１は、可撓性及び透光性を有する樹脂基材の一例である。つまり、基材２１は、可撓性及び透光性を有する樹脂材料を用いて形成されている。具体的には、基材２１のヤング率は、１ＧＰａ以下であるが、これに限らない。例えば、基材２１のヤング率は、０．８ＧＰａ以下であってもよく、０．５ＧＰａ以下であってもよい。
【００２４】
基材２１は、図２の（ａ）に示されるように、例えば、厚みが均一のシート状の部材である。基材２１は、図１に示されるように、端面２１ａと、第１主面２１ｂと、第２主面２１ｃとを有する。端面２１ａは、光源モジュール１０に対向しており、光源モジュール１０が発する光が入射する光入射面である。第１主面２１ｂは、基材２１を導光された光が取り出される光取り出し面、すなわち、光出射面である。第２主面２１ｃは、第１主面２１ｂの反対側の面である。第２主面２１ｃには、光取り出し構造３０が設けられている。
【００２５】
なお、基材２１の形状は、特に限定されない。基材２１は、湾曲板であってもよい。また、基材２１は、円柱又は角柱状の所定方向に延びる長尺な棒（ロッド）状の部材であってもよい。この場合、基材２１の端面２１ａは、例えば、円柱又は角柱の底面である。基材２１の厚み又は径は、例えば、１ｍｍ以上５０ｍｍ以下であるが、これに限らない。例えば、基材２１の厚み又は径の上限値は、３０ｍｍであってもよく、２０ｍｍ以下であってもよい。また、基材２１の厚み又は径のか現地は、５ｍｍであってもよく、１０ｍｍであってもよい。
【００２６】
基材２１は、例えば、樹脂材料を用いた押出成型によって形成される。当該樹脂材料と可視光吸収剤２２とを混合し均一に分散させておくことで、可視光吸収剤２２が均一に分散された基材２１が形成される。
【００２７】
図１には、基材２１の内部において、光入射面である端面２１ａに近い領域Ａと、端面２１ａとは反対側の端面に近い領域Ｃと、領域Ａ及び領域Ｃの間に位置する領域Ｂとが点線で模式的に表されている。図１はさらに、領域Ｂを拡大して可視光吸収剤２２が基材２１内に均一に分散されている様子を模式的に示している。
【００２８】
図１には示されていないが、領域Ａ及び領域Ｃにおいても、可視光吸収剤２２が分散されている。領域Ａ、領域Ｂ及び領域Ｃのいずれも同じ大きさである場合、各領域に含まれる可視光吸収剤２２の含有量は実質的に等しい。つまり、均一に分散とは、基材２１の任意の領域において、可視光吸収剤２２の含有量が実質的に等しいことを意味する。例えば、任意の領域における可視光吸収剤２２の含有量の差は±１０％以内である。
【００２９】
可視光吸収剤２２は、可視光帯域に吸収端を有する。具体的には、可視光吸収剤２２は、可視光帯域の所定の波長成分を選択的に吸収する。可視光吸収剤２２は、吸収波長成分以外の光を吸収しない。
【００３０】
図３は、本実施の形態に係る照明装置１の導光部材２０に分散された可視光吸収剤２２の吸収スペクトルの一例を示す図である。図３において、横軸は光の波長（単位：ｎｍ）を表しており、縦軸は吸光度を表している。吸光度が高い程、対応する波長成分が多く吸収される。
【００３１】
図３に示されるように、可視光吸収剤２２の極大吸収波長は、５００ｎｍ以上７５０ｎｍ以下である。一例として、可視光吸収剤２２の極大吸収波長は、５９４ｎｍである。具体的には、可視光吸収剤２２としては、テトラアザポルフィリン銅錯体を用いることができる。
【００３２】
本実施の形態では、可視光吸収剤２２は、３７０ｎｍ以下の紫外光帯域にも吸収ピークを有する。これにより、基材２１に入射する紫外光を吸収することができるので、基材２１を形成する樹脂材料の劣化を抑制することができる。したがって、太陽光に曝される屋外環境においても照明装置１を利用することができる。
【００３３】
光取り出し構造３０は、導光部材２０を導光された光を導光部材２０から出射させるための構造である。光取り出し構造３０は、導光部材２０に設けられている。具体的には、光取り出し構造３０は、基材２１の第２主面２１ｃに設けられた複数のプリズムである。図１に示されるように、複数のプリズムは、第２主面２１ｃから第１主面２１ｂに向かって凹んだ凹部である。
【００３４】
複数のプリズムは、例えば、レーザ加工により形成される。具体的には、基材２１が成型された後、複数のレーザ光を第２主面２１ｃに照射し、第２主面２１ｃの一部を溶融させることで複数の凹状のプリズムを形成する。あるいは、複数のプリズムに対応した複数の凸部を有する金型を用いて、複数のプリズムと基材２１とを一体的に形成してもよい。
【００３５】
複数のプリズムは、第２主面２１ｃから第１主面２１ｂの反対側に向かって突出する凸部であってもよい。例えば、複数のプリズムは、コーティング加工によって形成されてもよい。具体的には、基材２１が成型された後、インクジェット法により樹脂材料をドット状に塗布することにより、複数のプリズムを形成してもよい。
【００３６】
また、複数のプリズムは、例えば、第２主面２１ｃの全体に均一に分散配置されている。例えば、複数のプリズムは、第２主面２１ｃ内において行列状に規則的に配置されていてもよい。あるいは、複数のプリズムは、第２主面２１ｃ内においてランダムに配置されていてもよい。複数のプリズムは、導光部材２０のうち、光を取り出したい部分の近傍にのみ設けられていてもよい。
【００３７】
また、複数のプリズムは、光入射面である端面２１ａから離れる程、すなわち、導光距離が長くなる程、密に配置されていてもよい。言い換えると、複数のプリズムは、端面２１ａに近い領域では単位面積当たりの個数が少なく、端面２１ａから離れた領域である程、単位面積当たりの個数が多くてもよい。導光距離が長くなる程、基材２１内を導光される光の光量が少なくなる。光量の減少の割合に応じてプリズムの個数を増やすことにより、第１主面２１ｂの全体から光を均等に出射させることができる。
【００３８】
反射部材４０は、第２主面２１ｃに沿って設けられた反射部材である。反射部材４０は、例えば、白色の樹脂カバー、又は、金属製のカバーである。反射部材４０が設けられることで、第２主面２１ｃから漏れ出る光を抑えることができる。これにより、第１主面２１ｂから出射される光の量を増やすことができるので、照明装置１の光の取り出し効率を高めることができる。なお、照明装置１は、反射部材４０を備えなくてもよい。
【００３９】
［導光部材の光学特性］
続いて、導光部材２０の光学特性について説明する。
【００４０】
図１に示されるように、端面２１ａから基材２１内に入射した光は、第１主面２１ｂと第２主面２１ｃとで全反射を繰り返しながら、基材２１の内部を導光される。基材２１の内部を導光される光は、光取り出し構造３０を構成する複数のプリズムの１つに入射した場合に、プリズムによって反射されて第１主面２１ｂから出射される。
【００４１】
このとき、基材２１が樹脂材料を用いて形成されているので、基材２１を導光された光のうち、短波長成分が吸収又は散乱されやすい。基材２１を導光される距離が長い程、吸収及び散乱される光量が大きくなるので、端面２１ａから離れる程、第１主面２１ｂから出射される光の色調が変化する。具体的には、４００ｎｍ以上５００ｎｍ以下の範囲の波長成分が減少するので、第１主面２１ｂから出射される光は、端面２１ａから離れる程、青色成分を失って、黄色みを帯びた光になる。
【００４２】
本実施の形態では、基材２１内に、５００ｎｍ以上７５０ｎｍ以下に極大吸収波長を有する可視光吸収剤２２が均一に分散されている。これにより、基材２１による短波長成分の減少に応じて、基材２１を導光される光の長波長成分を吸収することができる。したがって、第１主面２１ｂから出射される光の色調の変化を抑制することができる。
【００４３】
また、上述したように、基材２１は、可撓性及び透光性を有する樹脂材料を用いて形成されている。可撓性及び透光性を有する樹脂材料として、シリコーン樹脂が知られている。しかしながら、シリコーン樹脂は、短波長成分の吸収率が高い。したがって、シリコーン樹脂を用いて基材２１を形成した場合、導光距離に対する短波長成分の減少率が高くなる。よって、可視光吸収剤２２によって長波長成分を吸収した場合、取り出される光の量が少なくなる。このため、導光距離が長い基材２１を形成する樹脂材料としては、シリコーン樹脂は適していない。
【００４４】
そこで、本実施の形態では、基材２１を形成する樹脂材料として、アルコキシシリル基を有するブロック共重合体水素化物と、数平均分子量３００〜５０００の炭化水素系重合体とを配合してなる樹脂組成物を用いることができる。当該樹脂組成物は、例えば、アルコキシシリル基を有するブロック共重合体水素化物１００重量部に対して、数平均分子量３００〜５０００の炭化水素系重合体１〜５０重量部を配合してなる。
【００４５】
ブロック共重合体水素化物は、ブロック共重合体の全不飽和結合の９０％以上を水素化したブロック共重合体水素化物に、アルコキシシリル基が導入されてなるアルコキシシリル基を有するブロック共重合体水素化物である。ブロック共重合体は、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とを含む。全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０から６５：３５の範囲である。
【００４６】
また、重合体ブロック［Ａ］中の芳香族ビニル化合物由来の繰返し単位以外の成分として、鎖状共役ジエン由来の繰返し単位及び／又はその他のエチレン性不飽和化合物由来の繰返し単位が含まれてもよい。これらの含有量は、重合体ブロック［Ａ］全体に対し、１０重量％以下であるが、５重量％以下でもよく、１重量％以下でもよい。
【００４７】
また、重合体ブロック［Ｂ］中の鎖状共役ジエン化合物由来の繰返し単位以外の成分としては、芳香族ビニル化合物由来の繰返し単位及び／またはその他のエチレン性不飽和化合物由来の繰返し単位が含まれてもよい。これらの含有量は、重合体ブロック［Ｂ］全体に対し、１０重量％以下であるが、５重量％以下でもよく、１重量％以下でもよい。
【００４８】
ブロック共重合体に用いる芳香族ビニル化合物としては、スチレン、又は、置換基としてアルキル基、ハロゲン原子若しくはアルコキシ基を有するスチレン類を用いることができる。置換基としてアルキル基を有するスチレン類としては、α−メチルスチレン、３−メチルスチレン、４−メチルスチレン、２，４−ジイソプロピルスチレン、２，４−ジメチルスチレン、４−ｔ−ブチルスチレン、５−ｔ−ブチル−２−メチルスチレンなどを用いることができる。置換基としてハロゲン原子を有するスチレン類としては、４−クロロスチレン、２−フルオロスチレン、２，４−ジクロロスチレンなどを用いることができる。置換基としてアルコキシ基を有するスチレン類としては、３−メトキシスチレン、４−メトキシスチレン、３，５−ジメトキシスチレン、４−ｔ−ブトキシスチレンなどを用いることができる。
【００４９】
ブロック共重合体に用いる鎖状共役ジエン系化合物としては、１，３−ブタジエン、イソプレン、２，３−ジメチル−１，３−ブタジエン、１，３−ペンタジエンなどの、極性基を含有しないものを用いることができる。
【００５０】
その他のエチレン性不飽和化合物としては、鎖状エチレン性不飽和化合物又は環状エチレン性不飽和化合物を用いることができる。これらのエチレン性不飽和化合物は、置換基として、ニトリル基、アルコキシカルボニル基、カルボキシル基、酸無水物基又はハロゲン基を有してもよい。例えば、エチレン性不飽和化合物は、鎖状オレフィン又は環状オレフィンである。鎖状オレフィンとしては、エチレン、プロピレン、１−ブテン、１−ペンテン、１−ヘキセン、１−ヘプテン、１−オクテン、１−ノネン、１−デセン、１−ドデセン、１−エイコセン、４−メチル−１−ペンテン、４，６−ジメチル−１−ヘプテンなどを用いることができる。環状オレフィンとしては、例えば、不飽和部が９０％以上水素化されたビニルシクロヘキセンを用いることができる。
【００５１】
ブロック共重合体に対するアルコキシシリル基の導入方法は、例えば、上記のブロック共重合体水素化物とエチレン性不飽和シラン化合物とを過酸化物の存在下で反応させる方法を用いることができる。アルコキシシリル基の導入量は、ブロック共重合体水素化物１００重量部に対し、０．１〜１０重量部であるが、０．２〜５重量部でもよく、０．３〜３重量部でもよい。アルコキシシリル基の導入量は、得られたブロック共重合体水素化物の１Ｈ−ＮＭＲ測定データから求めることができる。
【００５２】
エチレン性不飽和シラン化合物としては、上記のブロック共重合体水素化物とグラフト重合し、ブロック共重合体水素化物にアルコキシシリル基を導入するものを用いることができる。具体的には、エチレン性不飽和シラン化合物として、ビニルトリアルコキシシラン、アリルトリアルコキシシラン、ジアルコキシアルキルビニルシラン、ｐ−スチリルトリアルコキシシラン、（メタ）アクリロキシアルキルトリアルコキシシランなどを用いることができる。
【００５３】
ビニルトリアルコキシシランとしては、例えば、ビニルトリメトキシシラン、ビニルトリエトキシシランなどを用いることができる。アリルトリアルコキシシランとしては、例えば、アリルトリメトキシシラン、アリルトリエトキシシランなどを用いることができる。ジアルコキシアルキルビニルシランとしては、例えば、ジメトキシメチルビニルシラン、ジエトキシメチルビニルシランなどを用いることができる。ｐ−スチリルトリアルコキシシランとしては、例えば、ｐ−スチリルトリメトキシシラン、ｐ−スチリルトリエトキシシランなどを用いることができる。（メタ）アクリロキシアルキルトリアルコキシシランとしては、例えば、３−メタクリロキシプロピルメチルジメトキシシラン、３−メタクリロキシプロピルトリメトキシシラン、３−アクリロキシプロピルトリメトキシシランなどを用いることができる。
【００５４】
これらのエチレン性不飽和シラン化合物は、それぞれ単独で用いてもよく、２種以上を組み合わせて用いてもよい。エチレン性不飽和シラン化合物の使用量は、ブロック共重合体水素化物１００重量部に対して、０．１〜１０重量部であるが、０．２〜５重量部であってもよく、０．３〜３重量部であってもよい。
【００５５】
過酸化物としては、１分間半減期温度が１７０〜１９０℃のものを用いることができる。例えば、過酸化物としては、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシドなどを用いることができる。これらの過酸化物は、それぞれ単独で用いてもよく、２種以上を組み合わせて用いてもよい。過酸化物の使用量は、ブロック共重合体水素化物１００重量部に対して、０．０５〜２重量部であるが、０．１〜１重量部であってもよく、０．２〜０．５重量であってもよい。
【００５６】
炭化水素系重合体としては、例えば、ポリイソブチレン、ポリブテン、ポリ−４−メチルペンテン、ポリ−１−オクテン、エチレン・α−オレフィン共重合体及びこれらの水素化物、脂肪族系炭化水素樹脂及びその水素化物、脂環族炭化水素樹脂及びその水素化物、並びに、ポリイソプレン及びその水素化物からなる群から選ばれる少なくとも一種を用いることができる。また、炭化水素系重合体は、アルコキシシリル基、エステル基、水酸基、アミド基、アミノ基、酸無水物基などの極性基を有してもよい。ポリイソブチレン、ポリブテン、ポリイソブチレン水素化物、ポリイソプレン水素化物などを炭化水素系重合体として用いることで、基材２１の透明性を高めることができる。
【００５７】
本実施の形態では、基材２１を形成する樹脂材料として、上述した樹脂組成物を用いることで、基材２１の可撓性及び透光性を維持しながら、可視光吸収剤２２を均一に分散させることができる。また、基材２１による短波長成分の吸収量及び散乱量も低減することができるので、第１主面２１ｂから出射される光量を一定以上に確保することができる。つまり、照明装置１の照明機能を十分に発揮させることができる。
【００５８】
［効果など］
以上のように、本実施の形態に係る照明装置１は、光源モジュール１０と、光源モジュール１０から発せられた光を導光する導光部材２０と、光を導光部材２０から出射させるための、導光部材２０に設けられた光取り出し構造３０とを備える。導光部材２０は、可撓性及び透光性を有する基材２１と、基材２１内に均一に分散された可視光吸収剤２２とを含む。可視光吸収剤２２の極大吸収波長は、５００ｎｍ以上７５０ｎｍ以下である。
【００５９】
これにより、導光部材２０には可視光吸収剤２２が分散されているので、導光部材２０を導光される光は、導光部材２０の基材２１によって短波長成分が吸収又は散乱されることにより減少し、可視光吸収剤２２によって長波長成分が吸収されることにより減少する。つまり、短波長成分及び長波長成分の両方が減少することにより、導光部材２０を導光される光の色調の変化が抑制される。
【００６０】
また、可視光吸収剤２２が均一に分散されているので、導光距離によらず、基材２１による短波長成分の減少分と、可視光吸収剤２２による長波長成分の減少分とがバランスを取れた状態が維持される。したがって、導光部材２０からの光の取り出し位置によらず、色調の変化が抑制された光を取り出すことができる。
【００６１】
また、導光部材２０が可撓性を有するので、導光部材２０を容易に曲げることができる。したがって、照明装置１は、平坦な面に設置されるだけでなく、湾曲面に沿って容易に設置することができる。例えば、照明装置１は、階段の手すりの湾曲部分、部屋のコーナー部分などにも導光部材２０を湾曲させて配置することができる。
【００６２】
なお、基材２１が剛性を有する場合でも、厚さ又は径を小さくすることで、基材２１を曲げることは可能になる。しかしながら、この場合、光入射面である端面２１ａが小さくなるので、導光部材２０は、十分な量の光を導光することができず、第１主面２１ｂから出射される光量が少なくなる。これに対して、本実施の形態に係る照明装置１では、基材２１が可撓性を有することで、基材２１の厚み又は径を大きくすることができるので、十分な量の光を第１主面２１ｂから出射させることができる。
【００６３】
このように、本実施の形態によれば、所望の光学特性を実現し、かつ、汎用性の高い照明装置１を実現することができる。
【００６４】
また、例えば、光取り出し構造３０は、基材２１の一面に設けられた複数のプリズムである。
【００６５】
これにより、導光部材２０から所望の方向に光を取り出すことができる。複数のプリズムは、レーザ加工又はコーティングなどにより均一な形状で容易に形成することができる。このため、光の取り出し量及び取り出し方向などの調整が容易になるので、所望の光学特性を実現することができる。
【００６６】
（変形例）
以下では、実施の形態の変形例について、図４を用いて説明する。
【００６７】
図４は、本変形例に係る照明装置１０１の概略構成を示す模式図である。図４に示されるように、照明装置１０１は、実施の形態に係る照明装置１と比較して、導光部材２０の代わりに導光部材１２０を備える点が相違する。以下では、実施の形態との相違点を中心に説明し、共通点の説明を省略又は簡略化する。
【００６８】
本変形例に係る導光部材１２０では、基材２１内に、可視光吸収剤２２だけでなく、紫外光吸収剤１２２が均一に分散されている。紫外光吸収剤１２２は、紫外光領域に吸収端を有する。具体的には、紫外光吸収剤１２２は、紫外光帯域の所定の波長成分を選択的に吸収する。紫外光吸収剤１２２は、吸収波長成分以外の光を吸収しない。例えば、紫外光吸収剤１２２の極大吸収波長は、２６０ｎｍ以上３８０ｎｍ以下である。紫外光吸収剤１２２としては、ベンゾフェノン系紫外光吸収剤、サリチル酸系紫外光吸収剤、及び、ベンゾトリアゾール系紫外光吸収剤の少なくとも１つを用いることができる。
【００６９】
ベンゾフェノン系紫外光吸収剤としては、例えば、２，４−ジヒドロキシベンゾフェノン、２−ヒドロキシ−４−メトキシベンゾフェノン、２−ヒドロキシ−４−メトキシベンゾフェノン−５−スルホン酸３水和物、２−ヒドロキシ−４−オクチロキシベンゾフェノン、４−ドデカロキシ−２−ヒドロキシベンゾフェノン、４−ベンジルオキシ−２−ヒドロキシベンゾフェノン、２，２’，４，４’−テトラヒドロキシベンゾフェノン、２，２’−ジヒドロキシ−４，４’−ジメトキシベンゾフェノンなどを用いることができる。
【００７０】
サリチル酸系紫外光吸収剤としては、例えば、フェニルサルチレート、４−ｔ−ブチルフェニル−２−ヒドロキシベンゾエート、フェニル−２−ヒドロキシベンゾエート、２，４−ジ−ｔ−ブチルフェニル−３，５−ジ−ｔ−ブチル−４−ヒドロキシベンゾエート、ヘキサデシル−３，５−ジ−ｔ−ブチル−４−ヒドロキシベンゾエートなどを用いることができる。
【００７１】
ベンゾトリアゾール系紫外光吸収剤としては、例えば、２−（２−ヒドロキシ−５−メチルフェニル）−２Ｈ−ベンゾトリアゾール、２−（３−ｔ−ブチル−２−ヒドロキシ−５−メチルフェニル）−５−クロロ−２Ｈ−ベンゾトリアゾール、２−（３，５−ジ−ｔ−ブチル−２−ヒドロキシフェニル）−５−クロロ−２Ｈ−ベンゾトリアゾール、２−（３，５−ジ−ｔ−ブチル−２−ヒドロキシフェニル）−２Ｈ−ベンゾトリアゾール、５−クロロ−２−（３，５−ジ−ｔ−ブチル−２−ヒドロキシフェニル）−２Ｈ−ベンゾトリアゾール、２−（３，５−ジ−ｔ−アミル−２−ヒドロキシフェニル）−２Ｈ−ベンゾトリアゾール、２−（２−ヒドロキシ−５−ｔ−オクチルフェニル）−２Ｈ−ベンゾトリアゾール、２−（２−ヒドロキシ−４−オクチルフェニル）−２Ｈ−ベンゾトリアゾール、２−（２Ｈ−ベンゾトリアゾール−２−イル）−４−メチル−６−（３，４，５，６−テトラヒドロフタリミジルメチル）フェノール、２，２’−メチレンビス［４−（１，１，３，３−テトラメチルブチル）−６−［（２Ｈ−ベンゾトリアゾール−２−イル）フェノール］］などを用いることができる。
【００７２】
紫外光吸収剤１２２の配合量は、アルコキシシリル基を有するブロック共重合体水素化物１００重量部に対して、０．０１〜２重量部であるが、０．０２〜１．５重量部であってもよく、０．０４〜１．０重量部であってもよい。例えば、基材２１内に含まれる紫外光吸収剤１２２の単位体積当たりの含有量は、可視光吸収剤２２の単位体積当たりの含有量よりも少ない。あるいは、基材２１内に含まれる紫外光吸収剤１２２の単位体積当たりの含有量は、可視光吸収剤２２の単位体積当たりの含有量以上であってもよい。
【００７３】
以上のように、本変形例に係る照明装置１０１では、基材２１には、さらに、紫外光吸収剤１２２が均一に分散されている。
【００７４】
これにより、導光部材１２０に外部から入射する紫外光を紫外光吸収剤１２２が吸収するので、導光部材１２０の基材２１を形成する樹脂が紫外光によって劣化するのを抑制することができる。したがって、太陽光に曝される屋外においても照明装置１０１を利用することができ、汎用性を更に高めることができる。
【００７５】
また、例えば、紫外光吸収剤１２２の極大吸収波長は、２６０ｎｍ以上３８０ｎｍ以下である。
【００７６】
これにより、樹脂の劣化に影響を与える波長成分を効率良く紫外光吸収剤１２２が吸収することができる。
【００７７】
（その他）
以上、本発明に係る照明装置について、上記の実施の形態及びその変形例に基づいて説明したが、本発明は、上記の実施の形態に限定されるものではない。
【００７８】
例えば、導光部材２０又は１２０には、光安定剤又は酸化防止剤が均一に含まれていてもよい。これにより、導光部材２０又は１２０の耐光性又は耐熱性を高めることができる。
【００７９】
光安定剤としては、例えば、ヒンダ−ドアミン系光安定剤を用いることができる。具体的には、光安定剤としては、３，５−ジ−ｔ−ブチル−４−ヒドロキシフェニル基、２，２，６，６−テトラメチルピペリジル基、又は、１，２，２，６，６−ペンタメチル−４−ピペリジル基などを有する化合物を用いることができる。より具体的には、光安定剤としては、Ｎ，Ｎ’−ビス（２，２，６，６−テトラメチル−４−Ｎ−メチルピペリジル）−Ｎ，Ｎ’−ジホルミル−アルキレンジアミン類、Ｎ，Ｎ’−ビス（２，２，６，６−テトラメチル−４−ピペリジル）−Ｎ，Ｎ’−ジホルミルアルキレンジアミン類、Ｎ，Ｎ’−ビス（２，２，６，６−テトラメチル−４−ピペリジル）−Ｎ，Ｎ’−ビスアルキレン脂肪酸アミド類、ポリ〔｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕が用いられる。あるいは、光安定剤としては、Ｎ，Ｎ’−ビス（２，２，６，６−テトラメチル−４−ピペリジル）−Ｎ，Ｎ’−ジホルミルアルキレンジアミン類、Ｎ，Ｎ’−ビス（２，２，６，６−テトラメチル−４−ピペリジニル）−１，６−ヘキサンジアミンと２，４，６−トリクロロ−１，３，５−トリアジンとの重合体とＮ−ブチル−１−ブタンアミンとＮ−ブチル−２，２，６，６−テトラメチル−４−ピペリジンアミンとの反応生成物などが用いられてもよい。
【００８０】
ヒンダードアミン系耐光安定剤の配合量は、アルコキシシリル基を有するブロック共重合体水素化物１００重量部に対して、各々０．００１〜２重量部であるが、０．００２〜１重量部であってもよく、０．００５〜０．５重量部であってもよい。
【００８１】
酸化防止剤としては、例えば、リン酸系酸化防止剤、フェノール系酸化防止剤、硫黄系酸化防止剤などを用いることができる。
【００８２】
リン系酸化防止剤としては、例えば、モノホスファイト系化合物、ジホスファイト系化合物などを用いることができる。モノホスファイト系化合物としては、例えば、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイドなどを用いることができる。ジホスファイト系化合物としては、例えば、４，４’−ブチリデン−ビス（３−メチル−６−ｔ−ブチルフェニル−ジ−トリデシルホスファイト）、４，４’−イソプロピリデン−ビス（フェニル−ジ−アルキル（Ｃ１２〜Ｃ１５）ホスファイト）などを用いることができる。また、リン系酸化防止剤としては、６−〔３−（３−ｔ−ブチル−４−ヒドロキシ−５−メチルフェニル）プロポキシ〕−２，４，８，１０−テトラキス−ｔ−ブチルジベンゾ〔ｄ，ｆ〕〔１．３．２〕ジオキサフォスフェピン、６−〔３−（３，５−ジ−ｔ−ブチル−４−ヒドロキシフェニル）プロポキシ〕−２，４，８，１０−テトラキス−ｔ−ブチルジベンゾ〔ｄ，ｆ〕〔１．３．２〕ジオキサフォスフェピンなどの化合物を用いることができる。
【００８３】
フェノ−ル系酸化防止剤としては、例えば、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、３，９−ビス｛２−［３−（３−ｔ−ブチル−４−ヒドロキシ−５−メチルフェニル）プロオニルオキシ］−１，１−ジメチルエチル｝−２，４，８，１０−テトラオキサスピロ［５，５］ウンデカン、１，３，５−トリメチル−２，４，６−トリス（３，５−ジ−ｔ−ブチル−４−ヒドロキシベンジル）ベンゼンなどの化合物を用いることができる。
【００８４】
硫黄系酸化防止剤としては、例えば、ジラウリル−３，３’−チオジプロピオネート、ジミリスチル３，３’−チオジプロピピオネート、ジステアリル−３，３’−チオジプロピオネート、ラウリルステアリル−３，３’−チオジプロピオネート、ペンタエリスリトール−テトラキス−（β−ラウリル−チオプロピオネート、３，９−ビス（２−ドデシルチオエチル）−２，４，８，１０−テトラオキサスピロ［５，５］ウンデカンなどの化合物を用いることができる。
【００８５】
酸化防止剤の配合量は、アルコキシシリル基を有するブロック共重合体水素化物１００重量部に対して、各々０．０１〜２重量部であるが、０．０５〜１．５重量部であってもよく、０．１〜１重量部であってもよい。
【００８６】
また、例えば、導光距離が短くてよい場合、基材２１としてシリコーン樹脂を用いてもよい。
【００８７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８８】
１、１０１  照明装置
１０  光源モジュール（光源）
２０、１２０  導光部材
２１  基材（樹脂基材）
２２  可視光吸収剤
３０  光取り出し構造
１２２  紫外光吸収剤
【図１】
2020140829.tif 000003
【図２】
2020140829.tif 000004
【図３】
2020140829.tif 000005
【図４】
2020140829.tif 000006